(57)【要約】本発明は、充電技術分野に関し、移動端末の充電方法、装置、端末及び記憶媒体を提供する。前記移動端末の充電方法は、定電力で前記移動端末の充電池を充電するステップを含む。本発明は、定電力で移動端末の充電池を充電することによって、温度保護メカニズムをトリガーすることなく、より安定な一定の温度を保つことができるので、温度保護メカニズムをトリガーすることなく、充電ができるだけ速く完成されることができる。【選択図】図７
2022502984.tif 000002
【特許請求の範囲】
【請求項１】
移動端末の充電方法であって、
定電力で前記移動端末の充電池を充電するステップを含む
ことを特徴とする移動端末の充電方法。
【請求項２】
定電力で前記移動端末の充電池を充電するステップは、
充電電圧を徐々に増加させ、且つ充電電流を徐々に低下させる方式を利用して、前記移動端末の充電池を充電するステップを含み、
同一時点における前記充電電圧と前記充電電流の積は、一定値または一定範囲である
ことを特徴とする請求項１に記載の移動端末の充電方法。
【請求項３】
定電力で前記移動端末の充電池を充電するステップは、
充電器の最大出力電力が前記移動端末にサポートされる最大充電電力よりも小さい場合、前記最大出力電力により確定される定電力で前記移動端末の充電池を充電するステップを含む
ことを特徴とする請求項１に記載の移動端末の充電方法。
【請求項４】
定電力で前記移動端末の充電池を充電するステップは、
充電器の最大出力電力が前記移動端末にサポートされる平均充電電力以上である場合、前記平均充電電力により確定される第１定電力で前記移動端末の充電池を充電するステップと、
前記充電器の最大出力電力が前記移動端末にサポートされる平均充電電力よりも小さい場合、前記最大出力電力により確定される第２定電力で前記移動端末の充電池を充電するステップと、含む
ことを特徴とする請求項１に記載の移動端末の充電方法。
【請求項５】
定電力で前記移動端末の充電池を充電するステップは、
充電過程における目標期間内において、定電力で前記移動端末の充電池を充電するステップを含み、
前記目標期間は、定電流充電段階を切り換えるための期間、前記定電流充電段階の前の期間、前記定電流充電段階の後の期間のいずれか１つである
ことを特徴とする請求項１から請求項４のいずれか１項に記載の移動端末の充電方法。
【請求項６】
移動端末の充電装置であって、
定電力で前記移動端末の充電池を充電するための定電力充電モジュールを含む
ことを特徴とする移動端末の充電装置。
【請求項７】
前記定電力充電モジュールは、
充電電圧を徐々に増加させ且つ充電電流を徐々に低下させる方式を利用して、前記移動端末の充電池を充電し、
同一時点における前記充電電圧と前記充電電流の積は、一定値または一定範囲である
ことを特徴とする請求項６に記載の移動端末の充電装置。
【請求項８】
前記定電力充電モジュールは、
充電器の最大出力電力が前記移動端末にサポートされる最大充電電力よりも小さい場合、前記最大出力電力により確定される定電力で前記移動端末の充電池を充電する
ことを特徴とする請求項６に記載の移動端末の充電装置。
【請求項９】
前記定電力充電モジュールは、
充電器の最大出力電力が前記移動端末にサポートされる平均充電電力以上である場合、前記平均充電電力により確定される第１定電力で前記移動端末の充電池を充電し、
前記充電器の最大出力電力が前記移動端末にサポートされる平均充電電力よりも小さい場合、前記最大出力電力により確定される第２定電力で前記移動端末の充電池を充電する
ことを特徴とする請求項６に記載の移動端末の充電装置。
【請求項１０】
前記定電力充電モジュールは、
充電過程における目標期間内において、定電力で前記移動端末の充電池を充電し、
前記目標期間は、定電流充電段階を切り換えるための期間、前記定電流充電段階の前の期間、前記定電流充電段階の後の期間のいずれか１つである
ことを特徴とする請求項６から請求項９のいずれか１項に記載の移動端末の充電装置。
【請求項１１】
移動端末であって、
プロセッサーと、メモリと、を含み、
前記メモリには、コンピュータプログラムが記憶され、
前記プロセッサーは、
前記コンピュータプログラムを実行することによって、請求項１から請求項５のいずれか１項に記載の移動端末の充電方法を実現する
ことを特徴とする移動端末。
【請求項１２】
プログラマブルロジック回路及び／又はプログラム命令を含むチップであって、
前記チップが動作する場合、請求項１から請求項５のいずれか１項に記載の移動端末の充電方法が実現される
ことを特徴とするチップ。
【請求項１３】
請求項１から請求項５のいずれか１項に記載の移動端末の充電方法を実現するための充電回路を含む
ことを特徴とする充電アダプタ。
【請求項１４】
コンピュータプログラムが記憶されているコンピュータ読み取り可能な記録媒体であって、
前記コンピュータプログラムは、プロセッサーにより実行される場合、請求項１から請求項５のいずれか１項に記載の移動端末の充電方法を実現する
ことを特徴とする記録媒体。
【発明の詳細な説明】
【技術分野】
【０００１】
本発明は、充電池分野に関し、特に、移動端末の充電方法、装置、端末及び記憶媒体に関する。
本願は、２０１９年８月３０日に出願され、出願番号が２０１９１０８１４８５９．９であって、発明名称が「移動端末の充電方法、装置、端末及び記憶媒体」である中国特許出願に基いて優先権を主張し、当該中国特許出願の内容の全てを本願に援用する。
【背景技術】
【０００２】
例えば、スマートフォン或いはタブレットＰＣのような移動端末には、充電池が設置されている。移動端末における充電池が切れた場合、充電器を使用して充電する必要がある。典型的な充電過程は、定電流（Ｃｏｎｓｔａｎｔ  Ｃｕｒｒｅｎｔ、ＣＣ）充電段階及び定電圧（Ｃｏｎｓｔａｎｔ  Ｖｏｌｔａｇｅ、ＣＶ）充電段階を含む。定電流充電段階は、充電電流を一定に保って充電電圧を徐々に増加させる段階であり、定電圧充電段階は、充電電圧を一定に保って充電電流を徐々に低下させる充電段階である。
ＣＣ充電段階において、充電電流が最大となる。移動端末に温度保護メカニズムが設置されている場合、一旦充電池（又は、移動端末）の表面温度が温度閾値に達すると、充電電流が大幅に低減されるので、充電時間が長くなる。
【発明の概要】
【発明が解決しようとする課題】
【０００３】
本発明の実施例は、充電池（又は、移動端末）の表面温度が温度閾値に達した後、充電電流が大幅に低減されることにより全体的な充電時間が長くなるという課題を解決できる移動端末の充電方法、装置、端末及び記憶媒体を提供する。
【課題を解決するための手段】
【０００４】
本発明の一態様によれば、移動端末の充電方法を提供する。前記移動端末の充電方法は、定電力で前記移動端末の充電池を充電するステップを含む。
【０００５】
一つの可能な実施例において、定電力で前記移動端末の充電池を充電するステップは、充電電圧を徐々に増加させ、且つ充電電流を徐々に低下させる方式を利用して、前記移動端末の充電池を充電するステップを含む。
ここで、同一時点における前記充電電圧と前記充電電流の積は、一定値または一定範囲である。
【０００６】
一つの可能な実施例において、定電力で前記移動端末の充電池を充電するステップは、充電器の最大出力電力が前記移動端末にサポートされる最大充電電力よりも小さい場合、充電過程における目標期間内において、前記最大出力電力により確定される定電力で前記移動端末の充電池を充電するステップを含む。
【０００７】
一つの可能な実施例において、定電力で前記移動端末の充電池を充電するステップは、充電器の最大出力電力が前記移動端末にサポートされる平均充電電力以上である場合、前記平均充電電力により確定される第１定電力で前記移動端末の充電池を充電するステップと、前記充電器の最大出力電力が前記移動端末にサポートされる平均充電電力よりも小さい場合、前記最大出力電力により確定される第２定電力で前記移動端末の充電池を充電するステップと、含む。
【０００８】
一つの可能な実施例において、定電力で前記移動端末の充電池を充電するステップは、充電過程における目標期間内において、定電力で前記移動端末の充電池を充電するステップを含む。
ここで、前記目標期間は、定電流充電段階を切り換えるための期間、前記定電流充電段階の前の期間、前記定電流充電段階の後の期間のいずれか１つである。
【０００９】
本発明の他の態様によれば、移動端末の充電装置を提供する。前記移動端末の充電装置は、定電力で前記移動端末の充電池を充電する定電力充電モジュールを含む。
【００１０】
一つの可能な実施例において、前記定電力充電モジュールは、充電電圧を徐々に増加させ、且つ充電電流を徐々に低下させる方式を利用して、前記移動端末の充電池を充電する。
ここで、同一時点における前記充電電圧と前記充電電流の積は、一定値または一定範囲である。
【００１１】
一つの可能な実施例において、前記定電力充電モジュールは、充電器の最大出力電力が前記移動端末にサポートされる最大充電電力よりも小さい場合前記最大出力電力により確定される定電力で前記移動端末の充電池を充電する。
【００１２】
一つの可能な実施例において、前記定電力充電モジュールは、充電器の最大出力電力が前記移動端末にサポートされる平均充電電力以上である場合、前記平均充電電力により確定される第１定電力で前記移動端末の充電池を充電し、前記充電器の最大出力電力が前記移動端末にサポートされる平均充電電力よりも小さい場合、前記最大出力電力により確定される第２定電力で前記移動端末の充電池を充電する。
【００１３】
一つの可能な実施例において、前記定電力充電モジュールは、充電過程における目標期間内において、定電力で前記移動端末の充電池を充電する。
ここで、前記目標期間は、定電流充電段階を切り換えるための期間、前記定電流充電段階の前の期間、前記定電流充電段階の後の期間のいずれか１つである。
【００１４】
本発明の他の態様によれば、プロセッサーと、メモリと、を含む移動端末を提供する。
【００１５】
前記メモリには、コンピュータプログラムが記憶されており、前記プロセッサーは、前記コンピュータプログラムを実行することによって、上述のような移動端末の充電方法を実現するためのものである。
【００１６】
本発明の他の態様によれば、プログラマブルロジック回路及び／又はプログラム命令を含むチップを提供する。前記チップを動作させる場合、上述したような移動端末の充電方法が実現される。
【００１７】
本発明の他の態様によれば、上述したような移動端末の充電方法を実現するための充電回路を含む充電アダプタ（単に、充電器と称する。）を提供する。
【００１８】
本発明の他の態様によれば、コンピュータプログラムが記憶されている非一時的コンピュータ読み取り可能な記録媒体を提供する。前記コンピュータプログラムがプロセッサーにより実行される場合、上述したような移動端末の充電方法を実現する。
【発明の効果】
【００１９】
本発明の実施例の技術案によれば、次の有益な効果を含むことができる。
定電力で移動端末の充電池を充電することによって、温度保護メカニズムがトリガーされることなく、安定な一定の温度を保つことができるので、温度保護メカニズムをトリガーすることなく、充電ができるだけ速く完成されることができる。
なお、前記一般的な記載及び後述の詳細な記載は、単なる例示的で解釈的な記載であり、本発明を限定するものではない。
【図面の簡単な説明】
【００２０】
以下の図面は、明細書に組み入れて本明細書の一部分を構成し、本発明に該当する実施例を例示するとともに、明細書とともに本発明の原理を解釈する。
【図１】本発明の一例示的な実施例に係る充電システムの模式図である。
【図２】関連技術に係る移動端末の充電方法による電流の模式図である。
【図３】関連技術に係る移動端末の充電方法による温度の模式図である。
【図４】一例示的な実施例に係る移動端末の充電方法のフローチャートである。
【図５】関連技術に係る２７Ｗの定電流充電方式による充電電流の模式図である。
【図６】本発明の実施例に係る２４Ｗの定電力充電方式による充電電流の模式図である。
【図７】一例示的な実施例に係る２７Ｗの定電流充電方式と２４Ｗの定電力充電方式による充電電力の対比図である。
【図８】一例示的な実施例に係る移動端末の充電方法のフローチャートである。
【図９】一例示的な実施例に係る移動端末の充電方法のフローチャートである。
【図１０】一例示的な実施例に係る移動端末の充電装置のブロック図である。
【図１１】一例示的な実施例に係る移動端末のブロック図である。
【発明を実施するための形態】
【００２１】
以下、例示的な実施例を詳しく説明し、その一例を図面に示す。図面について説明するとき、別の説明がない場合、異なる図面での同じ数は同一な又は類似する要素を示す。以下、例示的な実施例で説明する実施方式は、本発明と一致するすべての実施方式を代表するものではない。逆に、それらは、添付の特許請求の範囲に記載されているように、本発明の一部の側面に一致する装置及び方法の例に過ぎない。
【００２２】
移動端末には、充電池が設置されている。充電池が切れた場合、充電器（又は、充電アダプタとも称する。）を移動端末に接続した後、充電池に対して充電を行う。例示的に、充電過程は、予備充電（ｐｒｅｃｈａｒｇｅ）段階（トリクル充電とも称する。）、定電流（Ｃｏｎｓｔａｎｔ  Ｃｕｒｒｅｎｔ、ＣＣ）充電段階、定電圧（Ｃｏｎｓｔａｎｔ  Ｖｏｌｔａｇｅ、ＣＶ）充電段階及び充電終了段階を含む。
【００２３】
予備充電段階とは、充電池の電圧が低い場合、直接の急速充電による充電池への損傷を避けるために、まず低い充電電流で充電を行って、充電池を活性化させる段階を意味する。
【００２４】
ＣＣ充電段階とは、大きい且つ一定の充電電流で充電池を急速に充電し、当該ＣＣ充電過程において、充電電圧が連続的に増加することを意味する。
【００２５】
ＣＶ充電段階とは、電池がほぼ満充電になった場合、満充電後の電圧を定電圧として充電し続け、当該ＣＶ充電過程において、充電電流が連続的に低下することを意味する。
【００２６】
図１は、本発明の一例示的な実施例に係る充電システムを示す構造ブロック図である。上記充電システムは、移動端末１２０と、充電器１４０と、を含む。
【００２７】
移動端末１２０は、アプリケーションプロセッサー（ＡＰ）１２２と、充電管理チップ（ｃｈａｒｇｅ  ＩＣ）１２４と、充電池１２６と、サーミスタ１２８と、を含む。アプリケーションプロセッサー１２２は、充電管理チップ１２４に接続される。充電管理チップ１２４は、充電池１２６に接続される。サーミスタ１２８は、充電管理チップ１２４に接続される。ここで、アプリケーションプロセッサー１２２と充電管理チップ１２４は、移動端末１２０における充電インターフェースにも接続される。サーミスタ１２８の設置位置は、充電池１２６の電池表面、移動端末１２０の本体の内部、移動端末１２０の本体の表面、移動端末１２０の中間フレームの位置の少なくとも１つを含むことができるが、本発明は、これらに限定されない。ここで、サーミスタ１２８は、選択的なユニットである。
【００２８】
充電器１４０は、電源プラグ端１４２と、充電回路１４４と、端末プラグ端１４６と、を含む。電源プラグ端１４２は、商用電源（例えば、２２０Ｖ又は１１０Ｖ）のソケットと接続するためのものである。充電回路１４４は、商用電源を充電電流及び充電電圧に変換するためのものである。端末プラグ端１４６は、移動端末１２０に接続するためのものである。端末プラグ端１４６は、例えば、タイプ−ＣのＵＳＢインターフェースなどの様々なバージョンのＵＳＢインターフェース又はｌｉｇｈｔｉｎｇインターフェースであってもよい。
【００２９】
充電過程において、充電池１２６が発熱するので、いくつかの実施例において、移動端末１２０における充電管理チップ１２４には、発熱量が高くなりすぎないように移動端末１２０を保護するための温度保護メカニズムが設置されている。
【００３０】
図２及び図３は、それぞれ温度保護メカニズムがトリガーされた後の充電電流図及び電池温度図を示す模式図である。サーミスタ１２８は、所定の時間間隔を置いて充電池１２６の表面温度を測定するためのものである。表面温度が温度閾値（例えば、４０度）に達すると、充電電流をＬ（Ｌの値が比較的大きく、例えば２Ａ）低減させる。Ｌは、温度保護電流調整値である。表面温度が他の温度閾値（例えば、３８．５度）まで低下された場合、充電電流を低減する前の電流値に復帰させ、温度が高くなりすぎないように上記の手順を繰り返す。
【００３１】
関連技術において、ＣＣ充電段階における充電電流が比較的に大きいので、充電池の温度が急速に上昇する。アプリケーションプロセッサー１２２は、温度保護機構が充電池の表面温度によりトリガーされた場合、パルス電流を発生することによって、充電電流の電流値が低下されるように充電管理チップ１２４をトリガーする。パルストリガー方式は、充電電流の電流値を簡単且つ無作法に低減させるので、全体的の充電時間が遅延されてしまう。
【００３２】
また、充電器の最大出力電力がＣＣ充電段階の最大充電電力により決定されるので、充電器の最大出力電力が大きいほど、コストが高くなる。
【００３３】
ユーザーが異なるブランドや異なるモデルの充電器を混用する可能性があるので、減定格充電を利用する時（例えば、２７Ｗの最大充電電力をサポートする携帯電話の場合、最大出力電力が１８Ｗである充電器を使用する。）、ＣＣ充電方式を利用するほとんどの期間においては、最大出力電力である１８Ｗよりも低いので、充電器の電力が無駄になる。
【００３４】
本発明の１つの目的は、新しい充電段階のモードである定電力（Ｃｏｎｓｔａｎｔ Ｐｏｗｅｒ,ＣＰ）充電モードを設計することである。充電過程全体における一定の期間において、充電電力を一定に保つために、温度保護メカニズム（又は、最大発熱時点）がトリガーされることなく、スムーズに充電するとともに、充電器の最大出力電力に対する要求を低減することができる。
【００３５】
図４は、本発明の一例示的な実施例に係る移動端末の充電方法を示すフローチャートである。上記移動端末の充電方法は、アプリケーションプロセッサー１２２、充電管理チップ１２４又は充電器１４０により実行されることができる。上記移動端末の充電方法は、以下のステップを含む。
【００３６】
ステップ４０２において、定電力で移動端末の充電池を充電する。
【００３７】
充電過程における一定期間内において、充電管理チップ１２４は、定電力で移動端末の充電池を充電する。
【００３８】
例示的に、充電管理チップ１２４は、充電電圧を徐々に増加させ、且つ充電電流を徐々に低下させる方式を利用して、前記移動端末の充電池を充電する。ここで、同一時点における充電電圧と充電電流の積（即ち、充電電力）は、一定値または一定範囲である。
【００３９】
一定範囲は、相対的に小さい電力範囲である。充電電力は、上記一定範囲内においてわずかに変動することが許容される。一例において、２７Ｗの充電電力を基準とする場合、±１Ｗの範囲内の変動が許容される。
【００４０】
つまり、本実施例に係る移動端末の充電方法によれば、定電力で移動端末の充電池を充電することによって、温度保護メカニズムがトリガーされることなく、充電過程において安定な一定の温度を保つことができるので、温度保護メカニズムをトリガーすることなく、充電をできるだけ速く完成させることができる。
【００４１】
図５は、２７Ｗの直接充電方式による充電曲線を示す模式図である。上記直接充電方式は、ＣＣ充電方式を利用し、電源電圧が電池の２倍ぐらいの２：１直接充電方式である。図６は、本発明の一例示的な実施例に係る２４Ｗの定電力充電方式による充電曲線示す模式図である。図７は、２７Ｗの直接充電方式と２４Ｗの定電力充電方式による充電電力曲線を示す対比図である。図７からわかるように、２つの充電方式による充電電力曲線の積分面積（総電力）が同じであり、２つの充電方式の充電終止時間が同じであり、即ち、充電速度が同じである。しかしながら、充電過程全体において、２４Ｗの定電力充電方式の最大電力点は、２７Ｗの直接充電方式（ＣＣ充電モード）よりも小さい。従って、本発明の実施例により提供されるＣＰ充電モードは、少なくとも以下の有益な効果を有する。
（１）移動端末の放熱構造設計に対する要求が小さく、昇温速度がＣＣ充電モードよりも小さくなる上で、温度保護メカニズムをトリガーする必要がないので、充電電流を低減させたり、ＣＰＵ周波数を制限したりする現象を回避することができる。
（２）充電器の最大電力出力に対する要求が小さくなるので、充電器のコストを削減することができる。
（３）より小さい出力電力を有する充電器を使用しても、同じ充電速度の効果を達成することができる。
【００４２】
移動端末の充電電力は、セル自体の許容電流の大きさ、電池保護ボードの許容電流の大きさ、充電管理チップの電流の大きさ及び熱昇温限界などの要因により決定される。通常、あるタイプの移動端末は、設計された後、その充電電力の上限が知られている。
【００４３】
ユーザーが異なるタイプの充電器を混用する可能性があるので、最大出力電力が１８Ｗであるの充電器を最大充電電力が２７Ｗである移動端末に使用する場合、関連技術において、最大充電電力が２７Ｗである移動端末を、最大充電電力が１８Ｗである移動端末として充電を行う。つまり、充電過程の全体において最大電力が１８Ｗ（ほとんどの期間において、充電電力が１８Ｗ未満である。）である。本発明の実施例により提供されるＣＰ充電モードを利用することにより、ＣＣ充電過程の代わりに、最大充電電力が１８ＷであるＣＰ充電モードを利用することで、充電の速度を大幅に向上させることができる。
【００４４】
本発明は、ユーザーが減定格された充電器を利用する状況（充電器の最大出力電力が移動端末にサポートされる最大充電電力よりも小さい。）に対して、以下の２つの実施例を提供する。
【００４５】
第１の実施例：移動端末と充電器との間にハンドシェイクプロトコルが実行される場合（充電器に接続された後の初期化段階）、電力ネゴシエーションの結果に応じて充電モードを確定する。
（１）充電器の最大出力電力＞＝移動端末にサポートされる最大充電電力である場合、従来のＣＣ充電モードを利用する。この時、移動端末がボトルネック（セル又は昇温）になり、充電池が許容する最大電流が一定である。
（２）充電器の最大出力電力＜移動端末にサポートされる最大充電電力である場合、ＣＰ（定電力）充電モードを利用する。この時、充電器がボトルネックになり、充電電流が充電器の最大電力に対応する最大電流よりも大きい。
【００４６】
第２の実施例：移動端末と充電器との間にハンドシェイクプロトコルが実行される場合（充電器に接続された後の初期化段階）、移動端末は、その自身の平均電力を充電器に公称し、電力ネゴシエーションの結果に応じて充電モードを確定する。
（１）充電器の最大出力電力＞＝移動端末にサポートされる平均充電電力である場合、従来のＣＣ充電モードを利用する。この時、移動端末がボトルネック（セル又は昇温）になり、充電池が許容する最大電流が一定である。
（２）充電器の最大出力電力＜＝移動端末にサポートされる平均充電電力である場合、減定格したＣＰ（定電力）充電モード又は減定格したＣＣ（定電流）充電モードを利用して充電を行う。
【００４７】
以下、図８を用いて第１の実施例を説明する。
図８は、本発明の一例示的な実施例に係る移動端末の充電方法を示すフローチャートである。上記移動端末の充電方法は、アプリケーションプロセッサー又は充電器により実行されることができる。上記移動端末の充電方法は、以下のステップを含む。
【００４８】
ステップ８０１において、充電器の最大出力電力及び移動端末にサポートされる最大充電電力を取得する。
【００４９】
移動端末と充電器が電気的に接続された後、移動端末におけるアプリケーションプロセッサーと充電器の充電回路との間にはハンドシェイクプロトコルが実行される。アプリケーションプロセッサーと充電回路は、両方とも充電器の最大出力電力及び移動端末にサポートされる最大充電電力を取得することができる。
【００５０】
ステップ８０２において、最大出力電力が最大充電電力より大きいか否かを判断する。
【００５１】
最大出力電力が最大充電電力以上である場合、ステップ８０３に進み、最大出力電力が最大充電電力未満である場合、ステップ８０４に進む。
【００５２】
ステップ８０３において、定電流充電モードを利用して充電する。
【００５３】
ステップ８０４において、最大出力電力により確定される定電力で移動端末の充電池を充電する。
【００５４】
例示的に、上記定電力は、充電器の最大出力電力に等しいか、又は、充電器の最大出力電力よりも僅かに小さいことができる。
【００５５】
アプリケーションプロセッサーは、上記移動端末の充電方法が充電器により実行される場合、充電器がＣＰ充電モードを利用するように指示するための制御命令を充電器に送信する。充電器は、上記制御命令を受信した後、ＣＰ充電モードを利用し、自身の最大出力電力に応じて定電力を確定し、充電過程における目標期間内において移動端末の充電池を充電する。
【００５６】
上記移動端末の充電方法がアプリケーションプロセッサーにより実行される場合、アプリケーションプロセッサーは、充電器と継続的に（周期的に又はトリガー的に）通信し、充電器の充電電流及び充電電圧に応じて、充電器の充電電流及び充電電圧の少なくとも１つを調整するための制御命令を生成することによって、充電器の充電電力を定電力（又は定電力の範囲）に保つように制御する。
【００５７】
選択的に、上記目標期間は、定電流充電段階を切り換えるための期間、又は、前記定電流充電段階の前の期間、又は、前記定電流充電の後の期間である。
【００５８】
つまり、本実施例により提供される移動端末の充電方法によれば、定電力で移動端末の充電池を充電することによって、温度保護メカニズムがトリガーされることなく、より安定な一定の温度を保つことができるので、温度保護メカニズムをトリガーすることなく、充電ができるだけ速く完成されることができる。
【００５９】
本実施例により提供される移動端末の充電方法は、充電器の最大出力電力が移動端末にサポートされる最大充電電力よりも小さい場合、最大出力電力により確定される定電力で移動端末の充電池を充電するので、充電器の最大出力電力を最大限に利用して充電し、充電効率及び充電速度を向上させることができる。
【００６０】
以下、図９を用いて第２の実施例を説明する。
図９は、本発明の一例示的な実施例に係る移動端末の充電方法を示すフローチャートである。上記移動端末の充電方法は、アプリケーションプロセッサー又は充電器により実行されることができる。上記移動端末の充電方法は、以下のステップを含む。
【００６１】
ステップ９０１において、充電器の最大出力電力及び移動端末にサポートされる最大充電電力を取得する。
【００６２】
移動端末が充電器に電気的に接続された後、移動端末におけるアプリケーションプロセッサーと充電器の充電回路との間にはハンドシェイクプロトコルが実行される。アプリケーションプロセッサーと充電回路は、両方とも充電器の最大出力電力及び移動端末にサポートされる最大充電電力を取得することができる。
【００６３】
ステップ９０２において、最大出力電力が最大充電電力より大きいか否かを判断する。
【００６４】
最大出力電力が最大充電電力以上である場合、ステップ９０３に進み、最大出力電力が最大充電電力未満である場合、ステップ９０４に進む。
【００６５】
ステップ９０３において、充電器の最大出力電力が移動端末にサポートされる平均充電電力以上である場合、平均充電電力により確定される第１定電力で移動端末の充電池を充電する。
【００６６】
例示的に、上記定電力は、移動端末にサポートされる最大出力電力に等しいか、又は、移動端末にサポートされる最大出力電力よりも僅かに小さいことができる。
【００６７】
ステップ９０４において、充電器の最大出力電力が移動端末にサポートされる平均充電電力よりも小さい場合、最大出力電力により確定される第２定電力で移動端末の充電池を充電する。
【００６８】
例示的に、上記定電力は、充電器の最大出力電力に等しいか、又は、充電器の最大出力電力よりも僅かに小さいことができる。
【００６９】
アプリケーションプロセッサーは、上記移動端末の充電方法が充電器により実行される場合、充電器がＣＰ充電モードを利用するように指示するための制御コマンドを充電器に送信する。充電器は、上記制御命令を受信した後、ＣＰ充電モードを利用して、自身の最大出力電力に応じて定電力を確定し、充電過程における目標期間内において移動端末の充電池を充電する。
【００７０】
アプリケーションプロセッサーは、上記移動端末の充電方法がアプリケーションプロセッサーにより実行される場合、充電器と継続的に（周期的に又はトリガー的に）通信し、充電器の充電電流及び充電電圧に応じて、充電器の充電電流及び充電電圧の少なくとも１つを調整するための制御命令を生成することによって、充電器の充電電力を定電力に保つように制御する。
【００７１】
選択的に、上記目標期間は、ＣＣ充電段階を切り換えるための期間、又は、ＣＣ充電段階の前の期間、又は、ＣＣ充電段階の後の期間である。
【００７２】
つまり、本実施例により提供される移動端末の充電方法によれば、定電力で移動端末の充電池を充電することによって、温度保護メカニズムがトリガーされることなく、より安定な一定の温度を保つことができるので、温度保護メカニズムをトリガーすることなく、充電ができるだけ速く完成されることができる。
【００７３】
本実施例により提供される移動端末の充電方法は、充電器の最大出力電力が移動端末にサポートされる最大充電電力よりも大きい場合、最大出力電力により確定される定電力で移動端末の充電池を充電するので、充電器の最大出力電力を最大限に利用して充電し、充電効率及び充電速度を向上させることができる。
【００７４】
本実施例により提供される移動端末の充電方法は、充電器の最大出力電力が移動端末にサポートされる最大充電電力よりも小さい場合、最大出力電力により確定される定電力で移動端末の充電池を充電するので、充電器の最大出力電力を最大限に利用して充電し、充電効率及び充電速度を向上させることができる。
【００７５】
なお、ＣＰ充電モードとＣＣ充電モードとを混用することができる。例えば、まず、ＣＣ充電モードを利用してからＣＰ充電モードを利用し、或いは、まず、ＣＰ充電モードを利用してからＣＣ充電モードを利用してもよいが、その両者の間の関係は、単純な相互置換するものではない。ここで、具体的な充電方式及び昇温の問題と組み合わせることができる。
【００７６】
なお、本発明は、ＣＰ充電モードをＣＣ充電モードの代わりにしたり、ＣＣ充電モードと混用する方案を提供することに過ぎない。しかしながら、実際の充電過程において、単純なＣＣ充電モード、ＣＶ充電モードだけではなく、段階式定電圧（stepＣＣ）充電モード、段階式定電圧（stepＣＶ）充電モードなどの段階式充電過程を含むこともできる。本発明の実施例は、ＣＰ充電モード、ステップＣＰ充電モード及び他のモードとを組み合わせたものを含むことができる。
【００７７】
図１０は、本発明の一例示的な実施例に係る移動端末の充電装置を示すブロック図である。前記移動端末の充電装置は、定電力充電モジュール１０２０を含む。
【００７８】
定電力充電モジュール１０２０は、定電力で前記移動端末の充電池を充電する。
【００７９】
選択的な一例において、前記定電力充電モジュール１０２０は、充電電圧を徐々に増加させ且つ充電電流を徐々に低下させる方式を利用して、前記移動端末の充電池を充電する。
ここで、同一時点における前記充電電圧と前記充電電流の積は、一定値または一定範囲である。
【００８０】
選択的な一例において、前記定電力充電モジュール１０２０は、充電器の最大出力電力が前記移動端末にサポートされる最大充電電力よりも小さい場合、前記最大出力電力により確定される定電力で前記移動端末の充電池を充電する。
【００８１】
選択的な一例において、前記定電力充電モジュール１０２０は、充電器の最大出力電力が前記移動端末にサポートされる平均充電電力以上である場合、前記平均充電電力により確定される第１定電力で前記移動端末の充電池を充電する。前記充電器の最大出力電力が前記移動端末にサポートされる平均充電電力よりも小さい場合、前記最大出力電力により確定される第２定電力で前記移動端末の充電池を充電する。
【００８２】
選択的な一例において、前記定電力充電モジュール１０２０は、充電過程における目標期間内において、定電力で前記移動端末の充電池を充電する。ここで、前記目標期間は、定電流充電段階を切り換えるための期間、前記定電流充電段階の前の期間、前記定電流充電段階の後の期間のいずれか１つである。
【００８３】
図１１は、一例示的な実施例に係る移動端末の充電装置１１００のブロック図である。例えば、移動端末の充電装置１１００は、携帯電話、デジタルブロードキャスト端末、メッセージ送受信機器、ゲームコンソール、タブレットデバイス、医療機器、フィットネス機器、個人向け携帯型情報端末機器などであってもよい。
【００８４】
図１１を参照すると、装置１１００は、処理ユニット１１０２、メモリ１１０４、電源ユニット１１０６、マルチメディアユニット１１０８、オーディオユニット１１１１、入力／出力（Ｉ／Ｏ）インターフェース１１１２、センサーユニット１１１４、及び通信ユニット１１１６からなる群から選ばれる少なくとも１つを備えてもよい。
【００８５】
処理ユニット１１０２は、一般的には、装置１１００の全体の操作、例えば、表示、電話呼び出し、データ通信、カメラ操作及び記録操作に関連する操作を制御する。処理ユニット１１０２は、上述した方法におけるステップの一部又は全部を実現できるように、命令を実行する少なくとも１つのプロセッサー１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８とのインタラクションを便利にさせるように、マルチメディアモジュールを備えてもよい。
【００８６】
メモリ１１０４は、装置１１００での操作をサポートするように、各種のデータを記憶するように構成される。これらのデータは、例えば、装置１１００で何れのアプリケーション又は方法を操作するための命令、連絡先データ、電話帳データ、メッセージ、画像、ビデオなどを含む。メモリ１１０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００８７】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【００８８】
マルチメディアユニット１１０８は、前記装置１１００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、タッチやスライド操作と関連する持続時間や圧力も感知できる。一実施例では、マルチメディアユニット１１０８は、フロントカメラ及び／又はバックカメラを有してもよい。装置１１００、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００８９】
オーディオユニット１１１１は、オーディオ信号を出力及び／又は入力するように構成される。例えば、オーディオユニット１１１１は、マイクロフォン（ＭＩＣ）を有してもよい。装置１１００が、例えば、呼び出しモード、記録モード、又は音声認識モードのような操作モードにある時、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１１は、オーディオ信号を出力するためのスピーカをさらに備えてもよい。
【００９０】
Ｉ／Ｏインターフェース１１１２は、処理ユニット１１０２と外部のインタフェースモジュールとの間にインターフェースを提供するためのものである。上記外部のインタフェースモジュールは、キーボードや、クリックホイールや、ボタンなどであってもよい。これらのボタンは、ホームボタンや、音量ボタンや、スタートボタンや、ロックボタンであってもよいが、それらに限らない。
【００９１】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットは、装置１１００のディスプレイ及びキーパッドである。センサーユニット１１１４は、装置１１００又は装置１１００の１つのユニットの位置の変化、ユーザーによる装置１１００への接触の有無、装置１１００の方向又は加速／減速、装置１１００の温度変化などを検出することができる。センサーユニット１１１４は、何れの物理的な接触もない場合に付近の物体を検出するように構成される近接センサーを有してもよい。センサーユニット１１１４は、イメージングアプリケーションに用いるための光センサー、例えば、ＣＭＯＳ又はＣＣＤ画像センサーを有してもよい。一実施例では、当該センサーユニット１１１４は、加速度センサー、ジャイロスコープセンサー、磁気センサー、圧力センサー又は温度センサーをさらに備えてもよい。
【００９２】
通信ユニット１１１６は、装置１１００と他の設備の間との無線又は有線通信を便利にさせるように構成される。装置１１００は、通信標準に基づく無線ネットワーク、例えば、ＷｉＦｉ、２Ｇ又は３Ｇ、又はそれらの組み合わせにアクセスできる。一つの例示的な実施例では、通信ユニット１１１６は、ブロードキャストチャンネルを介して外部のブロードキャスト管理システムからのブロードキャスト信号又はブロードキャストに関する情報を受信する。一つの例示的な実施例では、前記通信ユニット１１１６は、近距離通信を促進するために近距離無線通信（ＮＦＣ）モジュールをさらに備えてもよい。
【００９３】
例示的な実施例では、装置１１００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器により実現されてもよい。
【００９４】
例示的な実施例では、命令を有する非一時的コンピュータ読み取り可能な記録媒体、例えば、命令を有するメモリ１１０４をさらに提供する。前記命令は、装置１１００のプロセッサー１１２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリなどであってもよい。
【００９５】
非一時的コンピュータ可読記録媒体は、前記記録媒体における命令が端末のプロセッサーにより実行される場合、端末が上記の方法実施例により提供される上記の移動端末の充電方法を実行する。
【００９６】
本発明の実施例は、プログラマブルロジック回路及び／又はプログラム命令を含むチップをさらに提供し、前記チップを動作させる場合、上述したような移動端末の充電方法を実現する。
【００９７】
本発明の実施例は、上記の移動端末の充電方法を実行するための充電回路を含む充電アダプタをさらに提供する。
【００９８】
理解すべきことは、本文に記載されている「複数個」は、２つ又は２つ以上を指す。「及び／又は」は、関連付けられた対象の関連関係を表現し、３つの関係が存在し得ることを示す。例えば、Ａ及び／又はＢは、Ａのみが存在し、ＡとＢが同時に存在し、Ｂのみが存在するという３つの状況を表すことが可能である。符号「／」は、前後の関連対象が「又は」との関係を指す。
【００９９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開表していない本技術分野の公知知識、又は通常の技術手段を含む。明細書及び実施例は、単に例示的なものであって、本発明の本当の範囲と主旨は、以下の特許請求の範囲によって示される。
【０１００】
理解すべきことは、本発明は、上記の内容及び図面に示された構造に限定されず、その範囲を逸脱しない限り、各種の変更及び変更を行うことができる。
【図１】
2022502984.tif 000003
【図２】
2022502984.tif 000004
【図３】
2022502984.tif 000005
【図４】
2022502984.tif 000006
【図５】
2022502984.tif 000007
【図６】
2022502984.tif 000008
【図７】
2022502984.tif 000009
【図８】
2022502984.tif 000010
【図９】
2022502984.tif 000011
【図１０】
2022502984.tif 000012
【図１１】
2022502984.tif 000013
【手続補正書】
【提出日】令和1年11月25日(2019.11.25)
【手続補正２】
【補正対象書類名】明細書
【補正対象項目名】０００１
【補正方法】変更
【補正の内容】
【０００１】
本発明は、充電池分野に関し、特に、移動端末の充電方法、装置、端末、プログラム及び記憶媒体に関する。
本願は、２０１９年８月３０日に出願され、出願番号が２０１９１０８１４８５９．９であって、発明名称が「移動端末の充電方法、装置、端末及び記憶媒体」である中国特許出願に基いて優先権を主張し、当該中国特許出願の内容の全てを本願に援用する。
【手続補正３】
【補正対象書類名】明細書
【補正対象項目名】０００３
【補正方法】変更
【補正の内容】
【０００３】
本発明の実施例は、充電池（又は、移動端末）の表面温度が温度閾値に達した後、充電電流が大幅に低減されることにより全体的な充電時間が長くなるという課題を解決できる移動端末の充電方法、装置、端末、プログラム及び記憶媒体を提供する。
【手続補正４】
【補正対象書類名】明細書
【補正対象項目名】００１８
【補正方法】変更
【補正の内容】
【００１８】
本発明の他の態様によれば、コンピュータプログラムが記憶されている非一時的コンピュータ読み取り可能な記録媒体を提供する。前記コンピュータプログラムがプロセッサーにより実行される場合、上述したような移動端末の充電方法を実現する。
本発明の他の態様によれば、非一時的コンピュータ読み取り可能な記録媒体に記憶されているプログラムを提供する。前記プログラムは、プロセッサーに実行されることにより、前記の態様における前記移動端末の充電方法を実現する。
【手続補正５】
【補正対象書類名】特許請求の範囲
【補正対象項目名】全文
【補正方法】変更
【補正の内容】
【特許請求の範囲】
【請求項１】
移動端末の充電方法であって、
定電力で前記移動端末の充電池を充電するステップを含む
ことを特徴とする移動端末の充電方法。
【請求項２】
定電力で前記移動端末の充電池を充電するステップは、
充電電圧を徐々に増加させ、且つ充電電流を徐々に低下させる方式を利用して、前記移動端末の充電池を充電するステップを含み、
同一時点における前記充電電圧と前記充電電流の積は、一定値または一定範囲である
ことを特徴とする請求項１に記載の移動端末の充電方法。
【請求項３】
定電力で前記移動端末の充電池を充電するステップは、
充電器の最大出力電力が前記移動端末にサポートされる最大充電電力よりも小さい場合、前記最大出力電力により確定される定電力で前記移動端末の充電池を充電するステップを含む
ことを特徴とする請求項１に記載の移動端末の充電方法。
【請求項４】
定電力で前記移動端末の充電池を充電するステップは、
充電器の最大出力電力が前記移動端末にサポートされる平均充電電力以上である場合、前記平均充電電力により確定される第１定電力で前記移動端末の充電池を充電するステップと、
前記充電器の最大出力電力が前記移動端末にサポートされる平均充電電力よりも小さい場合、前記最大出力電力により確定される第２定電力で前記移動端末の充電池を充電するステップと、含む
ことを特徴とする請求項１に記載の移動端末の充電方法。
【請求項５】
定電力で前記移動端末の充電池を充電するステップは、
充電過程における目標期間内において、定電力で前記移動端末の充電池を充電するステップを含み、
前記目標期間は、定電流充電段階を切り換えるための期間、前記定電流充電段階の前の期間、前記定電流充電段階の後の期間のいずれか１つである
ことを特徴とする請求項１から請求項４のいずれか１項に記載の移動端末の充電方法。
【請求項６】
移動端末の充電装置であって、
定電力で前記移動端末の充電池を充電するための定電力充電モジュールを含む
ことを特徴とする移動端末の充電装置。
【請求項７】
前記定電力充電モジュールは、
充電電圧を徐々に増加させ且つ充電電流を徐々に低下させる方式を利用して、前記移動端末の充電池を充電し、
同一時点における前記充電電圧と前記充電電流の積は、一定値または一定範囲である
ことを特徴とする請求項６に記載の移動端末の充電装置。
【請求項８】
前記定電力充電モジュールは、
充電器の最大出力電力が前記移動端末にサポートされる最大充電電力よりも小さい場合、前記最大出力電力により確定される定電力で前記移動端末の充電池を充電する
ことを特徴とする請求項６に記載の移動端末の充電装置。
【請求項９】
前記定電力充電モジュールは、
充電器の最大出力電力が前記移動端末にサポートされる平均充電電力以上である場合、前記平均充電電力により確定される第１定電力で前記移動端末の充電池を充電し、
前記充電器の最大出力電力が前記移動端末にサポートされる平均充電電力よりも小さい場合、前記最大出力電力により確定される第２定電力で前記移動端末の充電池を充電する
ことを特徴とする請求項６に記載の移動端末の充電装置。
【請求項１０】
前記定電力充電モジュールは、
充電過程における目標期間内において、定電力で前記移動端末の充電池を充電し、
前記目標期間は、定電流充電段階を切り換えるための期間、前記定電流充電段階の前の期間、前記定電流充電段階の後の期間のいずれか１つである
ことを特徴とする請求項６から請求項９のいずれか１項に記載の移動端末の充電装置。
【請求項１１】
移動端末であって、
プロセッサーと、メモリと、を含み、
前記メモリには、コンピュータプログラムが記憶され、
前記プロセッサーは、
前記コンピュータプログラムを実行することによって、請求項１から請求項５のいずれか１項に記載の移動端末の充電方法を実現する
ことを特徴とする移動端末。
【請求項１２】
プログラマブルロジック回路及び／又はプログラム命令を含むチップであって、
前記チップが動作する場合、請求項１から請求項５のいずれか１項に記載の移動端末の充電方法が実現される
ことを特徴とするチップ。
【請求項１３】
請求項１から請求項５のいずれか１項に記載の移動端末の充電方法を実現するための充電回路を含む
ことを特徴とする充電アダプタ。
【請求項１４】
コンピュータプログラムが記憶されているコンピュータ読み取り可能な記録媒体であって、
前記コンピュータプログラムは、プロセッサーにより実行される場合、請求項１から請求項５のいずれか１項に記載の移動端末の充電方法を実現する
ことを特徴とする記録媒体。
【請求項１５】
非一時的コンピュータ読み取り可能な記録媒体に記憶されているプログラムであって、
プロセッサーに実行されることにより、請求項１から請求項５のいずれか１項に記載の移動端末の充電方法を実現する
ことを特徴とするプログラム。
【国際調査報告】
2022502984.tif 000014
2022502984.tif 000015
2022502984.tif 000016
2022502984.tif 000017